(57)【要約】      （修正有）【課題】携帯が簡単で便利であり、使用者が携帯し、迅速に折り畳まれてホルダーとしてスマートウォッチを載置可能である折り畳み式ホルダーを提供する。【解決手段】主に位置決め板２１、固定板２２及び支持板２３で構成され、位置決め板２１は固定板２２に枢接され、固定板２１は支持板２３にさらに枢接され、位置決め板２１、固定板２２及び支持板２３の連結により板状体が形成され、折り畳まれた後に立つように支えられるホルダー２となる。また、位置決め板２１には凹型穴が開設され、スマートウォッチは周着方式により位置決め板２１に覆設され、スマートウォッチがホルダー２に堅固に載置される。スマートウォッチの時計面が正面に向けられるため、使用者が充電作業中でもスマートウォッチの操作を継続できる。本ホルダー２は携帯が非常に簡単であり、極めて好ましい進歩性を有する。【選択図】図２
0003201040.tif 000002
【実用新案登録請求の範囲】
【請求項１】
主に位置決め板、固定板及び支持板の連結により構成され、前記位置決め板には収納用穴が開設され、且つ位置決め板の後側には支持板を挿設させて固定させる細長い溝が設けられ、位置決め板は固定板に枢接され、且つ固定板は支持板に枢接され、位置決め板、固定板及び支持板が連結されることで板状体が形成され、相互に回転自由に枢動することで折り畳まれてホルダーとなることを特徴とする折り畳み式ホルダー。
【請求項２】
前記位置決め板の収納用穴の上方には充電器を収納するための位置決めリングが設置されて、位置決めリング内の周縁にはコード類が挿設されるための孔部が開設されることを特徴とする、請求項１に記載の折り畳み式ホルダー。
【請求項３】
前記支持板には丸孔が開設され、位置決め板の位置決めリングが丸孔内に装入され、折り畳み収納に利用され、前記丸孔は開孔が支持板の端縁まで延伸され、コード類を固定させて整理収納させることを特徴とする、請求項１に記載の折り畳み式ホルダー。
【請求項４】
前記固定板には滑り止め作用を有する滑り止め層が設けられることを特徴とする、請求項１に記載の折り畳み式ホルダー。
【考案の詳細な説明】
【技術分野】
【０００１】
本考案は、折り畳み式ホルダーに関し、より詳しくは、枢接されて連結される複数の板状体であり、折り畳まれた後にホルダーになり、携帯に便利で折り畳んで使用する折り畳み式ホルダーに関する。
【背景技術】
【０００２】
科学技術の進歩に伴い、パソコン、スマートフォン、タブレット端末、スマートウォッチ１１等（図１参照）が、既に生活に欠かせない電子製品となっている。使用者が家電製品を使用しやすくするために、多くの周辺機器が生み出され続けている。携帯型電源、高速充電器、携帯電話ホルダー等があり、どれも家電製品に組み合わせて使用される付属品である。スマートフォンの普及により、より携帯性が高く便利なスマートウォッチ１１が生まれた。前記スマートウォッチ１１は携帯電話と同等の機能を有するばかりでなく、腕に身に着けられるため、利便性が携帯電話よりも高い。
【０００３】
次は、図１に示すように、前記スマートウォッチ１１は機能が豊富であり、メッセージの受信、電話、体調管理等の機能を含む新しい電子製品であり、故に前記スマートウォッチ１１は従来の腕時計と違い、充電を行って電力を確保させねばならない。充電中にもスマートウォッチ１１の操作を継続できるように、スマートウォッチ１１を支持台１に掛けて、充電中にもスマートウォッチ１１の時計面を正面に表示させて、使用者が操作可能にしている。
【考案の概要】
【考案が解決しようとする課題】
【０００４】
しかしながら、前述した従来の技術では、即ち、上述の支持台１は体積が大きく、空間を占領してしまい、スマートウォッチ１１を定位させることはできるが、但し携帯するには不便であり、スマートウォッチ１１を手から取り外して載置させることができなくなる。加えて、スマートウォッチ１１は高価な製品であり、使用者にとっても貴重品であるが、定位置に安定的に固定させて置いておくことができないのは問題であり、使用者にとって不便であった。そこで、本考案者は上記の欠点が改善可能と考え、鋭意検討を重ねた結果、合理的かつ効果的に課題を改善する本考案の提案に到った。
【０００５】
また、スマートウォッチのホルダーを携帯して載置に使用できないため、スマートウォッチの遺失、損傷、いつでも見れない等の欠点がある。このため、本考案者は研究開発を進め、幾度も試験を行い改良を加えて、折り畳み式のホルダーを開発した。スマートウォッチを安定的に載置可能な上、携帯及び収納にも便利であり、使用者が随時使用できる。また、需要に応じて腕時計の時計面をホルダーの正面に表示させて、腕時計の情報をいつでも見れるようにする、折り畳み式ホルダーの理想的な新構造を実現する。
【０００６】
本考案は、このような従来の問題に鑑みてなされたものである。上記課題解決のため、本考案は、折り畳み式ホルダーを提供し、特に携帯に便利な折り畳み式ホルダーを提供する。使用者が携帯するのに便利であり、迅速に折り畳み可能なホルダーとしてスマートウォッチを載置させる。
【課題を解決するための手段】
【０００７】
上述した課題を解決し、上記目的を達成するための本考案は、本考案に係る折り畳み式ホルダーは、主に位置決め板、固定板及び支持板で構成され、前記位置決め板には収納用穴が開設され、収納用穴の上方には充電器を収納するための位置決めリングが設置され、スマートウォッチの充電に利用される。また、前記位置決め板の後側には支持板を挿設させて固定させるための細長い溝が設けられ、前記位置決め板は固定板に枢接され、且つ固定板は支持板にさらに枢接され、位置決め板、固定板及び支持板が連結されることで板状体が形成され、相互に回転自由に枢動することで折り畳まれる。支持板には丸孔が開設され、ホルダーが折り畳まれると、前記位置決め板の位置決めリングが丸孔内に装入され、折り畳まれて収納に使用される。前記丸孔は開孔が支持板の端縁まで延伸され、 コード類を固定させて整理収納させる。
【０００８】
折り畳み時には、支持板を位置決め板の後方に向けて折り畳み、固定板との枢接を利用して支持板を位置決め板の後方に向けて折り畳み、支持板の端縁を位置決め板の後方の細長い溝内に挿設させると、位置決め板、固定板及び支持板が三角形状を呈してホルダーとなり、腕時計を載置できる。また、前記ホルダーが角度をつけて傾斜するため、使用者がスマートウォッチを見たり使用しやすくなり、固定板にはホルダーを安定的に固定させて滑り止めとして使用される滑り止め層が設けられ、より安心して使用できるようになる。
【０００９】
使用においては、スマートウォッチを円環状に周着させた後、時計バンドを収納用穴に入れ、腕時計の本体が位置決めリング内に覆設され、且つ腕時計が位置決め板に周設されることで腕時計がホルダーに堅固に載置され、充電が行えるようになる。また、前記ホルダーが角度をつけて傾斜されるため、使用者は腕時計上の情報を観察しやすくなり、スマートウォッチの操作が便利になるほか、重要な情報を見逃さないようにさせる。
【００１０】
使用後には、支持板を位置決め板の細長い溝から脱離させた後、自由に擺動する固定板及び支持板が位置決め板の後方に対応して設置され、支持板の丸孔が位置決め板の位置決めリングにちょうど良く装入され、ホルダーが折り畳まれて収納されて板状になる。使用者はポケット、バッグ、ハンドバッグ、ブリーフケース、書類入れ、パソコンバッグ等に入れて、随時取り出して使用できる。スマートウォッチを載置させ、スマートウォッチが安定的に固定されるため、適当に放置することで損壊したり遺失する危険性を回避させ、且つ前記ホルダーは腕時計の時計面を正面に表示させるため、使用者が操作及び充電を同時に行え、使用上非常に便利で理想的になる。
【考案の効果】
【００１１】
本考案によれば、折り畳まれてホルダーとなり、スマートウォッチが位置決め板に覆設され、定位置に安定的に固定され、使用者が随時観察できる。迅速に折り畳み可能で板状になり、体積が小さくなるため、ホルダーが携帯に便利になる。身に着けたスマートウォッチに組み合わせて折り畳み式で使用される、進歩性を有する新たな構造の改良であり、確実に使用上の利便性を高める。
【図面の簡単な説明】
【００１２】
【図１】従来の支持台を示す外観斜視図である。
【図２】本考案の一実施形態に係る折り畳み式ホルダーを示す展開図である。
【図３】本考案が使用される際の正面の概念図である。
【図４】本考案が展開された背面の概念図である。
【図５】本考案が折り畳まれた背面の概念図である。
【図６】本考案が使用される際の概念図である。
【図７】本考案が使用される側面の概念図である。
【図８】本考案が折り畳まれて収納された外観斜視図である。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
以下、本実施形態を図１〜８に基づいて説明する。図２は本考案の展開図である。主に位置決め板２１、固定板２２及び支持板２３で構成され、前記位置決め板２１には中央に近接する箇所に収納用穴２１１が開設され、収納用穴２１１の上方には充電器を載置させるための位置決めリング２１２が設置され、スマートウォッチ３の充電を可能にする(図３参照)。位置決めリング２１２内の周縁には孔部２１２１が開設され、図４に示すように、前記孔部２１２１はスマートウォッチ３の充電孔に対応し、位置決めリング２１２内の充電器をコード類に連結させてスマートウォッチ３の充電を行う。また、前記位置決め板２１の後側には、支持板２３を挿設させて固定させるための細長い溝２１３が設けられる。前記位置決め板２１は固定板２２に枢接され、且つ固定板２２は支持板２３にさらに枢接され、位置決め板２１、固定板２２及び支持板２３が連結されることで板状体が形成され、相互に回転自由に枢動することで折り畳まれる。支持板２３には位置決めリング２１２に対応する丸孔２３１が開設され、ホルダー２が折り畳まれると、前記位置決め板２１の位置決めリング２１２が丸孔２３１内にちょうど良く装入され、折り畳まれて収納させる。前記丸孔２３１からは切り欠き部２３２が支持板２３の端縁まで延伸され、 コード類を固定させて整理収納させる。固定板２２には滑り止め作用を有する滑り止め層２２１が設けられ、ホルダー２を平面に安定的に固定させて、ホルダー２が滑らないようにする。
【００１５】
折り畳む場合、図５に示すように、固定板２２の滑り止め層２２１を下に向けて設置させた後、位置決め板２１及び支持板２３を対応するように折り畳み、位置決め板２１及び固定板２２に鋭角を形成させる。即ち、位置決め板２１に角度をつけた傾斜を形成させる。この際、支持板２３が位置決め板２１の後方に向けて折り畳まれ、支持板２３及び固定板２２の枢接により、支持板２３を位置決め板２１の後方に折り畳み、支持板２３の端縁を位置決め板２１の後方の細長い溝２１３内に挿設させ、位置決め板２１、固定板２２及び支持板２３を三角形状にしてホルダー２を形成させ、スマートウォッチ３を載置させる（図６参照）。前記ホルダー２は角度をつけて傾斜され、充電と同時に使用者がスマートウォッチ３の機能を観察或いは操作できる。
【００１６】
使用時には、図６に示すように、スマートウォッチ３を円環状に周着させた後に時計バンド３１を収納用穴２１１に入れ、スマートウォッチ３の本体を位置決めリング２１２内に納入させ、図７に示すように、前記スマートウォッチ３は位置決め板２１に周設され、スマートウォッチ３がホルダー２に堅固に載置され、充電が行える。前記ホルダー２は角度をつけて傾斜され、使用者がスマートウォッチ３の情報を随時観察でき、重要な情報を見逃さないようにする。スマートウォッチ３が定位された後、使用者はスマートウォッチ３の充電を行える。前記充電器は位置決め板２１の位置決めリング２１２内に設置され、且つ前記位置決めリング２１２内の周縁には孔部２１２１が設けられ、充電ケーブルをコード類に直接連結させてスマートウォッチ３の充電を行う。このほか、前記固定板２２には滑り止め層２２１が設けられ、使用時にはホルダー２の下方に位置されてホルダー２を滑らないように固定させることで、安心して使用できる。
【００１７】
使用後に、図７及び図８に示すように、支持板２３を位置決め板２１の細長い溝２１３から脱離させるのみで、自由に擺動する固定板２２及び支持板２３が位置決め板２１の後方に対応するように設置され、支持板２３の丸孔２３１が位置決め板２１の位置決めリング２１２にちょうど良く装入され、ホルダー２が折り畳まれて収納されて板状になり、使用者がポケット、バッグ、ハンドバッグ、ブリーフケース、書類入れ、パソコンバッグ等に入れやすくなる。随時取り出して使用でき、スマートウォッチ３を載置させて安定的に固定させられるため、適当に放置して損壊や遺失するのを回避させる。前記ホルダー２はスマートウォッチ３の時計面を正面に表示させるため、使用者が操作と充電とを同時に行え、使用上非常に便利で理想的である。
【００１８】
以上のとおり、本考案は複数の板状体を利用し、折り畳まれてホルダーとなり、スマートウォッチを位置決め板に覆設させ、定位置に安定的に固定させ、使用者が随時観察及び充電を行える。能迅に折り畳み可能で板状になるため、体積が小さくなり、ホルダーが携帯に便利になる。身に着ける腕時計に組み合わせて折り畳んで使用する独創的な新構造である。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
（従来の技術）
１  支持台
１１  スマートウォッチ
（本考案）
２  ホルダー
２１  位置決め板
２１１  収納用穴
２１２  位置決めリング
２１２１  孔部
２１３  細長い溝
２２  固定板
２２１  滑り止め層
２３  支持板
２３１  丸孔
２３２  切り欠き部
３  スマートウォッチ
３１  時計バンド
【図１】
0003201040.tif 000003
【図２】
0003201040.tif 000004
【図３】
0003201040.tif 000005
【図４】
0003201040.tif 000006
【図５】
0003201040.tif 000007
【図６】
0003201040.tif 000008
【図７】
0003201040.tif 000009
【図８】
0003201040.tif 000010